(57)【特許請求の範囲】
【請求項１】
外線送出用の複数の保留音を格納した第１メモリを備えた親機と、受話部送出用の複数の保留音を格納した第２メモリを備えた子機とからなり、外線保留中は前記第１メモリに格納された複数の保留音から選択された１つの保留音を外線送出する電話機において、
前記子機に、
前記第２メモリ内に格納された複数の保留音の１つを選択する保留音指定データを設定する第３メモリと、
保留要求時に保留要求コマンドに前記保留音指定データを付加して前記親機に送出する操作手段とを設け、
前記親機に、
前記子機から送出された前記保留音指定データに基づき前記第１メモリ内の保留音を選択する選択手段を設けたことを特徴とする電話機。
【請求項２】
請求項１に記載の電話機において、
前記保留音指定データは、前記第１メモリに格納された保留音と前記第２メモリに格納された保留音とに対し、同一の保留音を指定することを特徴とする電話機。
【発明の詳細な説明】
【０００１】
【発明の属する技術分野】
本発明は電話機に係り、特に親機と子機とを有し、外線保留中に保留音を外線と子機受信部とに送出する機能を備えた電話機に関する。
【０００２】
【従来の技術】
図３は従来の外線保留音送出機能を備えた電話機の構成を示すブロック図である。
親機Ａは外部回線１８と接続され、外線からの情報及び外線へ送出する情報は回線制御部１７を介してＣＰＵ１０に入出力される。ＣＰＵ１０は全ての動作を制御しており、このＣＰＵ１０にアンテナに接続された無線通信部１１、スピーカに接続された音源部１２、表示部１６、操作部１５、メモリ１３、メモリ１４が接続されている。
子機Ｂも親機Ａと同様な構成を有しており、ＣＰＵ２０に無線通信部２１、音源部２２、操作部２５、表示部２６、メモリ２３、メモリ２４がそれぞれ接続されている。
【０００３】
ここで親機Ａのメモリ１３及び子機Ｂのメモリ２３には予め複数の保留音データが格納されている。
また親機Ａのメモリ１４及び子機Ｂのメモリ２４には子機Ｂで選択した保留音を指定するための保留音指定データが格納されている。通常、この保留音指定データはメモリ１３，２３のアドレスを指定するアドレス指定データである。
すなわちメモリ１４、メモリ２４で指定されたアドレスに格納されている保留音がメモリ１３、メモリ２３から読み出されて送出される。この保留音指定データは子機Ｂにおける保留音選択操作によって書き換えることができる。
【０００４】
図４は従来の子機保留動作を説明するための説明図である。
子機Ｂと外線とが通話中の状態において保留状態に遷移させるためには、子機Ｂにおいて子機操作部２５を操作し保留操作を行う。
ＣＰＵ２０は無線通信部２１を介して保留要求コマンドを親機Ａに送信する。親機ＡのＣＰＵ１０は無線通信部１１を介してこの保留要求コマンドを受信すると、メモリ１４に格納されている保留音指定データにしたがってメモリ１３から保留音データを取り出し、回線制御部１７を介して回線１８に保留音を送出する。同時にＣＰＵ１０が無線通信部１１を介して保留遷移コマンドを子機Ｂに送信する。
ＣＰＵ２０は無線通信部２１を介して保留遷移コマンドを受信すると、メモリ２４に格納されている保留音指定データにしたがってメモリ２３から保留音データを取り出し音源部２２を介してスピーカから保留音を鳴動させ子機保留状態に遷移する。
【０００５】
【発明が解決しようとする課題】
このように子機が保留動作を行った際に、外線に対して送出される保留音と子機のスピーカから送出される保留音とは同一の保留音が流れるように設定されている。
したがって子機側で保留音を設定する時には親機とリンクして親機側のメモリ１４の保留音設定データも変更する必要がある。
しかし、親機使用中はこのような設定変更動作をすることができないという問題があった。
【０００６】
図５は親機Ａ及び子機Ｂの保留音指定データ格納メモリ１４，２４の設定状態を示した図である。
この場合、親機側及び子機側ともにメモリ１３、メモリ２３の４番目に指定されている保留音を選択して設定が行われている。ここで、何かの理由で親機Ａあるいは子機Ｂのどちらかにリセットがかかり、設定データが子機側において１番目の保留音に初期化されてしまうと、親機側と子機側とで記憶している保留音指定データが異なってしまう。
【０００７】
この状態で図４に示すような子機保留の動作が行われると、子機で鳴動する保留音と親機から回線に送出される保留音とが違ったものになってしまうという問題がある。
本発明は上述した問題点を解消するために成されたもので、子機において保留動作を行った場合において回線側に送出される保留音と子機から鳴動される保留音とが異なることのない電話機を提供することを目的とする。
【０００８】
【課題を解決するための手段】
本発明は、外線送出用の複数の保留音を格納した第１メモリを備えた親機と、受話部送出用の複数の保留音を格納した第２メモリを備えた子機とからなり、外線保留中は前記第１メモリに格納された複数の保留音から選択された１つの保留音を外線送出する電話機において、前記子機に、前記第２メモリ内に格納された複数の保留音の１つを選択する保留音指定データを設定する第３メモリと、保留要求時に保留要求コマンドに前記保留音指定データを付加して前記親機に送出する操作手段とを設け、前記親機に、前記子機から送出された前記保留音指定データに基づき前記第１メモリ内の保留音を選択する選択手段を設けたものである。
前記保留音指定データは、前記第１メモリに格納された保留音と前記第２メモリに格納された保留音とに対し、同一の保留音を指定することができる。
【０００９】
【発明の実施の形態】
図１は本発明の電話機の構成ブロック図を示すものである。
なお、図３に示す従来の構成と同一部分には同一符号を付し、その詳細説明は省略する。
図３に示す従来の電話機の構成と異なる点は、親機側においては保留音指定データ格納メモリを持たず外線に対して送出される保留音の指定は全て子機側から行われるようにした点である。
親機側のメモリ１３及び子機側のメモリ２３には予め複数の保留音データが格納されている。また子機側にあるメモリ２４には子機での保留音選択動作で選択した保留音を指定するための保留音指定データが格納されている。このデータは子機側での保留音選択操作により書き替えることができる。
【００１０】
図２は図１の電話機における保留動作を説明するための図である。
子機の通話中に保留状態に遷移させるためには子機操作部２５において保留操作を行う。
ＣＰＵ２０は無線通信部２１を介して保留要求コマンドに保留音指定データを付加して親機に送信する。なお保留音指定データはメモリ２４中に格納されており、ＣＰＵ２０はこれを読み出し保留要求コマンドに付加する動作を実行する。
【００１１】
親機のＣＰＵ１０は無線通信部１１を介してこのコマンドを受け取ると付加されている保留音指定データを取り出し、このデータに従ってメモリ１３から保留音データを取り出し、回線制御部１７を介して回線１８に保留音を送出する。同時にＣＰＵ１０は無線通信部１１を介して保留遷移コマンドを子機に送信する。
子機のＣＰＵ２０は無線通信部２１を介して保留遷移コマンドを受信すると、メモリ２４に格納されている保留音指定データにしたがって子機のメモリ２３から保留音データを取り出し、音源部２２を介してスピーカから保留音を鳴動させ子機保留状態に遷移する。
【００１２】
このように子機から外線に対する保留動作において指定される保留音は、全て子機側でメモリ２４中に格納されていた保留音指定データに従ってメモリ１３及びメモリ２３から取り出される。
したがって子機保留状態から外線保留内線通話などに電話機の状態が変わっても、回線に送出する保留音は変化しない。
このようにメモリ２４に格納された保留音指定データは、親機側のメモリ１３に格納された保留音と子機側のメモリ２３に格納された保留音に対して同一の保留音を指定するように動作する。
【００１３】
【発明の効果】
以上実施の形態に基づいて詳細に説明したように、本発明では子機側のみに設けた保留音指定データ格納メモリの内容にしたがって親機側と子機側の保留音を読み出して送出するように構成しているため、親機使用中でも子機からの保留音の変更等の設定操作が可能である。
また親機側で別個に保留音指定データを記憶しておく必要がなくなる。また子機で鳴動する保留音と回線に送出される保留音とが食違ってくるという問題が解消される。
【図面の簡単な説明】
【図１】本発明の電話機の構成を示すブロック図。
【図２】本発明の動作を説明する図。
【図３】従来の電話機の構成を示すブロック図。
【図４】従来の子機保留動作を説明する図。
【図５】従来の問題点を説明するための図。
【符号の説明】
１０    ＣＰＵ
１３    外線送出用保留音格納メモリ
１８    回線
２０    ＣＰＵ
２３    受話部送出用保留音格納メモリ
２４    保留音指定データ格納メモリ
２５    操作部
【図１】
0003626068.tif 000002
【図２】
0003626068.tif 000003
【図３】
0003626068.tif 000004
【図４】
0003626068.tif 000005
【図５】
0003626068.tif 000006